(57)【要約】【課題】  付け替え操作性に優れた、すき間やサッシ等の掃除を主目的とした先細り形状の吸い口（アタッチメント）の収納機構を、本体の小型・軽量化に寄与しつつ低コストで構成する。【解決手段】  すき間やサッシ等の掃除を主目的とした先細り形状の吸い口（アタッチメント）にストッパー部を設け、前記ストッパー部と上面にて当接する保持部を備えた収納部を、延長管（接続パイプ）に形成し、すき間やサッシ等の掃除を主目的とした先細り形状の吸い口（アタッチメント）を延長管（接続パイプ）の収納部に収納した際に、すき間やサッシ等の掃除を主目的とした先細り形状の吸い口（アタッチメント）と延長管（接続パイプ）との間に、手元操作部の接続口がすき間やサッシ等の掃除を主目的とした先細り形状の吸い口（アタッチメント）の嵌合部と嵌着する為に進入する為のクリアランスを有するよう構成した。【選択図】  図１
2005348978.tif 000002
【特許請求の範囲】
【請求項１】
電動送風機と塵埃を集塵する集塵室を有する掃除機本体と、前記掃除機本体の接続口に接続されるホースと、前記ホース先端部に接続されたホース手元操作部と、前記ホース手元部と吸込口体との間に着脱自在に嵌着される延長管（接続パイプ）とを備え、前記延長管（接続パイプ）にはすき間やサッシ等の掃除を主目的とした先細り形状の吸い口（アタッチメント）の収納部を設けた電気掃除機において、前記すき間やサッシ等の掃除を主目的とした先細り形状の吸い口（アタッチメント）を前記延長管の収納部に収納したままで、前記ホース手元操作部に前記すき間やサッシ等の掃除を主目的とした先細り形状の吸い口（アタッチメント）を嵌着させることができることを特徴とする電気掃除機。
【請求項２】
電動送風機と塵埃を集塵する集塵室を有する掃除機本体と、前記掃除機本体の接続口に接続されるホースと、前記ホース先端部に接続されたホース手元操作部と、前記ホース手元部と吸込口体との間に着脱自在に嵌着される延長管（接続パイプ）とを備え、前記延長管（接続パイプ）にはすき間やサッシ等の掃除を主目的とした先細り形状の吸い口（アタッチメント）の収納部を設けた電気掃除機において、前記すき間やサッシ等の掃除を主目的とした先細り形状の吸い口（アタッチメント）の嵌合部がフリーな状態にて上方を向くように収納せしめる収納部を延長管（接続パイプ）に設けたことを特徴とする電気掃除機。
【請求項３】
請求項２に記載の電気掃除機であって、前記すき間やサッシ等の掃除を主目的とした先細り形状の吸い口（アタッチメント）にストッパー部を一体に設け、前記延長管（接続パイプ）の収納部には、前記すき間やサッシ等の掃除を主目的とした先細り形状の吸い口（アタッチメント）にストッパー部と上面にて当接する保持部を設けたことを特徴とする電気掃除機。
【請求項４】
請求項２ないし請求項３に記載の電気掃除機であって、前記すき間やサッシ等の掃除を主目的とした先細り形状の吸い口（アタッチメント）を前記延長管（接続パイプ）の収納部に収納した際に、前記すき間やサッシ等の掃除を主目的とした先細り形状の吸い口（アタッチメント）と前記延長管（接続パイプ）との間に、前記手元操作部の接続口が前記すき間やサッシ等の掃除を主目的とした先細り形状の吸い口（アタッチメント）の嵌合部と嵌着する為に進入するクリアランスを有することを特徴とする電気掃除機。
【発明の詳細な説明】
【技術分野】
【０００１】
本発明は電気掃除機に係わり、特に、すき間やサッシ等の掃除を主目的とした先細り形状の吸い口（アタッチメント）の収納手段を有する電気掃除機における、すき間やサッシ等の掃除を主目的とした先細り形状の吸い口（アタッチメント）の付け替え操作性の向上に関するものである。
【背景技術】
【０００２】
日本国内で販売されている電気掃除機には、すき間やサッシ等を掃除する事を主目的とした先細り形状の吸い口（アタッチメント）が標準付属されるのが広く一般的となっている。すき間やサッシ等の掃除を主目的とした先細り形状の吸い口（アタッチメント）は、使用者がその必要に応じて、標準タイプの吸込口体（ヘッド）と差し替えて使用するものであるので、標準タイプの吸込口体（ヘッド）を使用中には、すき間やサッシ等の掃除を主目的とした先細り形状の吸い口（アタッチメント）をどこかに収納したいという使用者ニーズが必然的に滞在していた。
【０００３】
このニーズを満たすための従来技術として、図９に示すように、電気掃除機本体９０１に、すき間やサッシ等の掃除を主目的とした先細り形状の吸い口（アタッチメント）９０２の収納部９０３を形成するといった手段が実開昭62-101465号公報や特開平11-276390号公報で知られている。
【０００４】
しかしながら、近年においては、掃除機本体自体の小型化・軽量化が強く要望されるようになり、上記従来例では、掃除機本体の大型化・重量化をまねき、掃除機本体自体の小型化・軽量化という近年のニーズにそぐわない技術となってきている。
【０００５】
そこで、すき間やサッシ等の掃除を主目的とした先細り形状の吸い口（アタッチメント）を掃除機に収納したいというニーズと掃除機本体自体を小型化・軽量化したいというニーズを両立させる手段として、図１０及び図１１に示すような、ホースに接続されている手元操作部と吸込口体（ヘッド）との間に接続される延長管（接続パイプ）に、すき間やサッシ等の掃除を主目的とした先細り形状の吸い口（アタッチメント）の収納部を形成するといった手段が特開2001-212037号公報で知られている。
【０００６】
しかしながら上記従来例では、すき間やサッシ等の掃除を主目的とした先細り形状の吸い口（アタッチメント）１００３を、延長管（接続パイプ）１００１に形成した収納部１００２に収納・保持させる方法として、すき間やサッシ等の掃除を主目的とした先細り形状の吸い口（アタッチメント）の嵌合部（先細り形状の他端側）１００３aを、延長管（接続パイプ）に形成した保持部１００２aに嵌合収納させる手段を用いているので、使用者が電気掃除機を使用中に標準タイプの吸込口体（ヘッド）から、すき間やサッシ等の掃除を主目的とした先細り形状の吸い口（アタッチメント）１００３に差し替えて使用する必要が発生した場合には、延長管（接続パイプ）に形成された収納部１００２から、すき間やサッシ等の掃除を主目的とした先細り形状の吸い口（アタッチメント）１００３を手を介して取り外し、さらに手を介しホースの先端部であるホース手元操作部の接続口１００４に取り付けるという面倒な作業を余儀なくされていた。
【０００７】
【特許文献１】実開昭62-101465号公報
【特許文献２】特開平11-276390号公報
【特許文献３】特開2001-212037号公報号
【発明の開示】
【発明が解決しようとする課題】
【０００８】
そこで、本発明が解決しようとする課題は、掃除機本体自体を小型化・軽量化する為に、すき間やサッシ等の掃除を主目的とした先細り形状の吸い口（アタッチメント）の収納部を掃除機本体にではなく、ホース手元操作部と吸い口との間に接続される延長管（接続パイプ）に形成し、尚且つ、すき間やサッシ等の掃除を主目的とした先細り形状の吸い口（アタッチメント）への交換操作性を向上させる為に、すき間やサッシ等の掃除を主目的とした先細り形状の吸い口（アタッチメント）を使用する際には、すき間やサッシ等の掃除を主目的とした先細り形状の吸い口（アタッチメント）を延長管（接続パイプ）の収納部から、わざわざ手を介して取り外す手間を発生させる事無く、すき間やサッシ等の掃除を主目的とした先細り形状の吸い口（アタッチメント）を延長管（接続パイプ）の収納部に収納したままの状態にて、すき間やサッシ等の掃除を主目的とした先細り形状の吸い口（アタッチメント）の嵌合部に直接、ホース手元操作部を接続させることができるようにし、さらに、そのままホース手元操作部を上方に引き上げるだけで、すき間やサッシ等の掃除を主目的とした先細り形状の吸い口（アタッチメント）を延長管（接続パイプ）の収納部から取り外すことができきる電気掃除機を提供することにある。
【課題を解決するための手段】
【０００９】
本発明では上記課題を解決する為に、すき間やサッシ等の掃除を主目的とした先細り形状の吸い口（アタッチメント）にストッパー部を設け、さらに前記ストッパー部と上面にて当接する保持部を備えた収納部を、延長管（接続パイプ）に形成し、さらには、すき間やサッシ等の掃除を主目的とした先細り形状の吸い口（アタッチメント）を延長管（接続パイプ）の収納部に収納した際に、すき間やサッシ等の掃除を主目的とした先細り形状の吸い口（アタッチメント）と延長管（接続パイプ）との間に、手元操作部の接続口がすき間やサッシ等の掃除を主目的とした先細り形状の吸い口（アタッチメント）の嵌合部と嵌着する為に進入する為のクリアランスを有するよう構成したことを特徴とする。
【発明の効果】
【００１０】
本発明によれば、使用者は延長管の収納部に収納されたすき間やサッシ等の掃除を主目的とした先細り形状の吸い口（アタッチメント）をわざわざ手を介して収納部から外すという煩わしい動作をする事無く、簡素な操作で尚且つ確実に、延長管の収納部に収納されたすき間やサッシ等の掃除を主目的とした先細り形状の吸い口（アタッチメント）を手元操作部に直接、接続させる事ができ、さらには、そのまま手元操作部を上方に引き上げるだけで、すき間やサッシ等の掃除を主目的とした先細り形状の吸い口（アタッチメント）を延長管（接続パイプ）の収納部から取り外すことができ、すき間やサッシ等の掃除を主目的とした先細り形状の吸い口（アタッチメント）を使用した掃除作業にスピーディに移行することのできる操作性に優れた電気掃除機を、掃除機本体の小型・軽量化にも寄与しつつ、コストパフォーマンスにも優れた構成にて提供する事ができる。
【発明を実施するための最良の形態】
【００１１】
以下、本発明の実施の形態を図面を参照して説明する。
【００１２】
図３に本発明の一実施の形態示す電気掃除機の外観斜視図を示す。
【００１３】
同図において３０１は制御回路や電動送風機等が内臓された掃除機本体、３０２は掃除機本体３０１の差込口部３０３に接続ざれたホース、３０４はホース３０２の先端部に接続された手元操作部、３０５は標準タイプの吸込口体（ヘッド）、３０６は手元操作部３０４と吸込口体（ヘッド）３０５との間に着脱自在に嵌着された延長管（接続パイプ）、３０４ａは手元操作部３０４に設けられたスイッチ操作部、３０７は延長管（接続パイプ）３０６に設けられた収納部３０８に収納されたすき間やサッシ等の掃除を主目的とした先細り形状の吸い口（アタッチメント）である。
【００１４】
図４に本発明の一実施の形態示す電気掃除機本体の縦断面図を示す。
【００１５】
掃除機本体３０１はその前方部分に、下部を覆う下ケース４０１、上部を覆う蓋体４０２、下ケース４０１に設けられた差込口４０３、集塵袋（パックフィルター）を収納する集塵室４０５を有し、その後方部分に、下ケケース４０１と上ケース４０６とで形成される電動送風機室４０７、及び制御基盤室（図示せず）、及び電源コードリール室（図示せず）、及び排気フイルター４０８を有している。
【００１６】
また、集塵室４０５には塵埃を捕集する為の集塵袋（パックフィルター）４０６、電動送風機室４０７には集塵する為の吸気気流を生み出す電動送風機４０９、制御基盤室（図示せず）には制御基盤（図示せず）、電源コードリール室（図示せず）には掃除機駆動電源用コードを巻回収納する為のコードリール（図示せず）が収納されている。
【００１７】
なお、集塵袋（パックフィルター）４０６に換えて、サイクロン方式等のダストケース等を構成しても良い。
【００１８】
電動送風機室４０７は電動送風機４０９の吸気側に設けたフィルター４１０を介し集塵室４０５と連通している。
【００１９】
集塵室４０５の下部を形成している下ケース４０１の壁面上部にはパッキン４１１を配設しており、前記パッキン４１１と前記蓋体４０２とが圧接される事で集塵室４０５の気密は保たれている。
【００２０】
次に、本発明に係わる電気掃除機の動作について図を参照しながら説明する。
【００２１】
電気掃除機使用者が手元操作部３０４に設けられたスイッチ操作部３０４ａのスイッチの一つを押すと、押されたスイッチに従った信号コードがホース３０２に内設した電線（図示せず）を通じて、掃除機本体３０１の制御基盤（図示せず）へ伝達され、前記電気掃除機は前記信号コードに応じた運転を開始する。一方、標準タイプの吸込口体（ヘッド）３０５には、回転ブラシ（図示せず）駆動用の電気モーター（図示せず）が配設してあり、前記信号コードに応じて、前記回転ブラシ（図示せず）が駆動する。前記回転ブラシ（図示せず）を駆動させる為の電源は、ホース３０２、手元操作部３０４、延長管３０６にそれぞれ内設してある電線（図示せず）を通じて、掃除機本体３０１より供給される。
【００２２】
運転が開始されると電動送風機４０９により吸気気流が発生し、吸込口体（ヘッド）３０５の回転ブラシにより掻き揚げられた塵埃が、吸込口体（ヘッド）３０５、延長管３０６、ホース３０２を介し、集塵室４０５に搬送され、集塵袋（パックフィルター）４０６に集塵される。
【００２３】
集塵袋（パックフィルター）４０６で濾過された前記吸気気流はフィルター４１０によりさらに微細塵を濾過された後、電動送風機４０９に吸引される。吸引された前記気流は電動送風機４０９の後方より排気され、電気掃除機本体３０１に内設された排気フィルター４０８にて再度濾過された後、電気掃除機本体３０１の外部へと排出される。
【００２４】
上記、電気掃除機の動作の元、使用者は手元操作部３０４を手に持ち、前記手元操作部３０４を前後左右に操る事で、吸込口体（ヘッド）３０５を被掃除面上を移動させ、掃除作業をする。
【００２５】
しかして上記掃除作業中、往々にして、使用者は標準タイプの吸込口体（ヘッド）３０５では、掃除が行き届かないような個所、例えばサッシのような細い隙間、を掃除するニーズに遭遇する。この時使用者は必要に応じ、標準タイプの吸込口体（ヘッド）３０５から、すき間やサッシ等の掃除を主目的とした先細り形状の吸い口（アタッチメント）３０７に付け替えて掃除する事で、前記必要を解決する。
【００２６】
以下、本発明の特徴とするところの、標準タイプの吸込口体（ヘッド）３０５から、すき間やサッシ等の掃除を主目的とした先細り形状の吸い口（アタッチメント）３０７に付け替える操作について図１，２及び図５〜８を参照しながら説明する。
【００２７】
まず初めに使用者は、すき間やサッシ等の掃除を主目的とした先細り形状の吸い口（アタッチメント）３０７が、延長管（接続パイプ）３０６の収納部３０８に収納された状態のままで、手元操作部３０４から延長管（接続パイプ）３０６より先を取り外し、図１に示される状態にする。
【００２８】
次に使用者は、手元操作部３０４を、延長管の収納部３０８に収納されたままのすき間やサッシ等の掃除を主目的とした先細り形状の吸い口（アタッチメント）３０８の嵌合部３０７ｂに直接差し込む。
【００２９】
本発明の特徴とするところの掃除機においては、図１に示すように、すき間やサッシ等の掃除を主目的とした先細り形状の吸い口（アタッチメント）３０７の嵌合部３０７ｂがフリーな状態で尚且つ、上方を向くように収納されていて、しかも、すき間やサッシ等の掃除を主目的とした先細り形状の吸い口（アタッチメント）３０７の嵌合部３０７ｂと延長管（接続パイプ）３０６との間には、図８に示すように、手元操作部３０４の接続口３０４ｂが進入するのに十分なクリアランス８０１を設けているので、すき間やサッシ等の掃除を主目的とした先細り形状の吸い口（アタッチメント）３０７を、延長管（接続パイプ）３０６の収納部３０８に収納した状態のままで、手元操作部３０４の接続口３０４ｂを、すき間やサッシ等の掃除を主目的とした先細り形状の吸い口（アタッチメント）３０７の嵌合部３０７ｂに挿入することができるのである。
【００３０】
また、図１に示すような上記挿入作業の際、手元操作部３０４の接続口３０４とすき間やサッシ等の掃除を主目的とした先細り形状の吸い口（アタッチメント）の嵌合部３０７ｂとの接続を確実にする為に、使用者はある程度の力をもって手元操作部３０４を下方に向かって押し付けるのだが、すき間やサッシ等の掃除を主目的とした先細り形状の吸い口（アタッチメント）３０７には、延長管（接続パイプ）３０６に設けた収納部３０８の保持部上面３０８ａに当接するように、ストッパー部６０１を設けているので、すき間やサッシ等の掃除を主目的とした先細り形状の吸い口（アタッチメント）が３０７延長管の収納部３０８からずれ落ちたりせずに、手元操作部３０４の接続口３０４ｂとすき間やサッシ等の掃除を主目的とした先細り形状の吸い口（アタッチメント）３０７との接続は確実に実行されるのである。
【００３１】
上記操作により、手元操作部３０４とすき間やサッシ等の掃除を主目的とした先細り形状の吸い口（アタッチメント）３０７とが接続されると、その後使用者は、手元操作部３０４を上方に引き上げる事で、すき間やサッシ等の掃除を主目的とした先細り形状の吸い口（アタッチメント）３０７を延長管の収納部３０８から取り外すことができ、図２示す状態を得る事ができ、すき間やサッシ等の掃除を主目的とした先細り形状の吸い口（アタッチメント）３０７を使用した細やかな掃除作業を行うことができる。
【００３２】
なお、本実施例では、延長管（接続パイプ）３０６に設けた収納部３０８の保持部上面３０８ａに当接させるストッパー部を２ケ（６０１ａ、６０１ｂ）配設した電気掃除機を例にしたが、上記ストッパー部は単数もしくは３ケ以上の複数個、設けても良い。
【図面の簡単な説明】
【００３３】
【図１】本発明の一実施例に係わる電気掃除機における、すき間やサッシ等の掃除を主目的とした先細り形状の吸い口（アタッチメント）への付け替え操作を説明する斜視図である。
【図２】本発明の一実施例に係わる電気掃除機における、すき間やサッシ等の掃除を主目的とした先細り形状の吸い口（アタッチメント）を使用形態を示した斜視図である。
【図３】本発明の一実施例に係わる電気掃除機の外観斜視図である。
【図４】本発明の一実施例に係わる電気掃除機の縦断面図である。
【図５】本発明の一実施例に係わる電気掃除機のすき間やサッシ等の掃除を主目的とした先細り形状の吸い口（アタッチメント）を示す外観斜視図である。
【図６】本発明の一実施例に係わる電気掃除機のすき間やサッシ等の掃除を主目的とした先細り形状の吸い口（アタッチメント）を示す正面図である。
【図７】本発明の一実施例に係わる電気掃除機の延長管に設けた収納部を示す外観斜視図である。
【図８】本発明の一実施例に係わる電気掃除機の延長管に設けた収納部にすき間やサッシ等の掃除を主目的とした先細り形状の吸い口（アタッチメント）を収納した状態を示す正面図である。
【図９】従来技術例を示す電気掃除機本体の外観斜視図である。
【図１０】別の従来技術例を示す電気掃除機本体の外観斜視図である。
【図１１】同電気掃除機の要部外観斜視図である。
【符号の説明】
【００３４】
３０１…掃除機本体、３０２…ホース、３０３…差込口部、３０４手元操作部、３０４ａ…スイッチ操作部、３０５標準タイプの吸込口体（ヘッド）、３０６…延長管（接続パイプ）、３０７…すき間やサッシ等の掃除を主目的とした先細り形状の吸い口（アタッチメント）、３０７ｂ…すき間やサッシ等の掃除を主目的とした先細り形状の吸い口（アタッチメント）の嵌合部、３０８…延長管に設けた、すき間やサッシ等の掃除を主目的とした先細り形状の吸い口（アタッチメント）、３０８ａ…延長管（接続パイプ）に設けた収納部の保持部上面、４０１…下ケース、４０２…蓋体、４０３…差込口、４０５…集塵室、４０６…集塵袋（パックフィルター）、４０７…電動送風機室、４０８…排気フイルター、４０９…電動送風機、４１０…フィルター、４１１…パッキン、６０１…すき間やサッシ等の掃除を主目的とした先細り形状の吸い口（アタッチメント）に設けたストッパー部、８０１…すき間やサッシ等の掃除を主目的とした先細り形状の吸い口（アタッチメント）の嵌合部と延長管（接続パイプ）との間のクリアランス。
【図１】
2005348978.tif 000003
【図２】
2005348978.tif 000004
【図３】
2005348978.tif 000005
【図４】
2005348978.tif 000006
【図５】
2005348978.tif 000007
【図６】
2005348978.tif 000008
【図７】
2005348978.tif 000009
【図８】
2005348978.tif 000010
【図９】
2005348978.tif 000011
【図１０】
2005348978.tif 000012
【図１１】
2005348978.tif 000013